(57)【要約】【課題】表面に研磨が施された天然石が有する深みのある風合いを、より忠実に醸し出すことができる石目調パネルを提供すること。【解決手段】本発明に係る石目調パネルＡは、表面１ａと裏面１ｂとを備える透明板材１と、透明板材１の裏面１ｂを覆う被覆層２とを備え、被覆層２は、天然石を粉砕して得られた有色骨材２１Ａ，２１Ｂ，２１Ｃを含んでおり、表面１ａを露出させて使用される。【選択図】図２
2007077759.tif 000002
【特許請求の範囲】
【請求項１】
表面側第１面と裏面側第２面とを備える透明板材と、この透明板材の上記第２面を覆う被覆層とを備え、
上記被覆層は、天然石または人工石を粉砕して得られた有色骨材を含んでおり、
上記第１面を露出させて使用されることを特徴とする、石目調パネル。
【請求項２】
上記被覆層は、バインダを含んでおり、吹き付け塗装により形成されている、請求項１に記載の石目調パネル。
【請求項３】
上記透明板材は、透明樹脂板である、請求項１または２に記載の石目調パネル。
【請求項４】
全体として湾曲変形可能である、請求項１ないし３のいずれかに記載の石目調パネル。
【請求項５】
上記透明板材の上記第２面と上記被覆層との間には、所定の平面形態をなす表記層が介在させられている、請求項１ないし４のいずれかに記載の石目調パネル。
【請求項６】
上記表記層は、上記透明板材の上記第２面に印刷を施すことにより形成されている、請求項５に記載の石目調パネル。
【発明の詳細な説明】
【技術分野】
【０００１】
本発明は、建築物の表面化粧材として使用される石目調パネルに関する。
【背景技術】
【０００２】
従来から建築物の表面化粧材として、天然石を切断し、これに研磨を施して鏡面状に仕上げた石板が多く用いられている。このような天然石からなる石板は、天然物特有の深みのある落ち着いた色調を呈しており、高級感を有するものとして広く好まれている。しかし、天然石に鏡面仕上げを施した石板は、材料自体が高価であるとともに、その切断加工・研磨加工が煩わしく、当該加工に係る費用も高くつく。また、天然石からなる石板は、重量が大きく、割れやすいため、施工性が悪いといった不都合がある。
【０００３】
このような事情に対応すべく、天然石を模った石目調パネルが提案されている。石目調パネルの従来例としては、たとえば特許文献１に記載されている。特許文献１に示された石目調パネルは、透明板と、石目調模様塗装膜と、光遮蔽層と、樹脂板とを備えて構成されている。石目調模様塗装膜は、透明板の裏面に塗料を斑点状にスプレー噴射することにより形成され、光遮蔽層は、上記塗装膜の裏面に黒色ないし暗色系の塗料を霧状に噴射することにより形成される。そして、樹脂板は、光遮蔽層の裏面に一体接合されている。このような構成によれば、透明板の表面側から透明板を介して観察される塗装膜および光遮蔽層は、表面に研磨の施された天然石に似た風合いを有する。一方、上記構成の石目調パネルは、天然石からなる石板と比較すると、軽量であるため施工性に優れており、煩雑な加工が不要であるため製造コストを低減することができる。
【０００４】
しかしながら、特許文献１に記載された構成では、天然石からなる石板に比べて安価で施工性に優れているものの、石目調模様塗装膜が塗料により形成されているため、天然石特有の深みのある風合いを充分に醸し出すのは困難である。したがって、このような構成は、たとえばビルのエントランスホールなどのように高級感が要求される場所への適用を考慮すると、品質面において充分ではなく、好ましくない。
【０００５】
ところで、たとえばビルのエントランスホールにおいては、案内表示などの表記が必要となる場合がある。このような場合、天然石からなる石板に表記を施す手法としては、耐久性の観点から、一般的に石板の表面を選択的に削り込むサンドブラスト処理が採用される。しかしながら、サンドブラスト処理においては、処理作業が大掛かりであり、表記に係るコストの高騰化を招くこととなる。
【０００６】
【特許文献１】特開平７−７６９１５号公報
【発明の開示】
【発明が解決しようとする課題】
【０００７】
本発明は、上記した事情のもとで考え出されたものであって、表面に研磨が施された天然石が有する深みのある風合いを、より忠実に醸し出すことができる石目調パネルを提供することを主たる課題としている。また、本発明は、そのような石目調パネルにおいて、簡易な手段で耐久性に優れた表記を施すことを他の課題としている。
【課題を解決するための手段】
【０００８】
上記課題を解決するため、本発明では、次の技術的手段を講じている。
【０００９】
本発明によって提供される石目調パネルは、表面側第１面と裏面側第２面とを備える透明板材と、この透明板材の上記第２面を覆う被覆層とを備え、上記被覆層は、天然石または人工石を粉砕して得られた有色骨材を含んでおり、上記第１面を露出させて使用されることを特徴としている。
【００１０】
このような構成の石目調パネルによれば、透明板材の裏面側第２面を覆う被覆層には、天然石または人工石を粉砕して得られた有色骨材が含まれている。このため、透明板材の表面側から当該透明板材を介して観察される被覆層は、表面に研磨が施された天然石が有する深みのある風合いを、より忠実に醸し出すことができる。
【００１１】
本発明の好ましい実施の形態においては、上記被覆層は、バインダを含んでおり、吹き付け塗装により形成されている。
【００１２】
このような構成によれば、被覆層の形成は、吹き付け塗装といった簡易な手段によって行うことができる。具体的には、被覆層に形成は、有色骨材およびバインダを含む混合材料を透明板材の裏面側第２面に吹き付けて付着させ、養生により固化させることによって、容易に行うことができる。
【００１３】
本発明の好ましい実施の形態においては、上記有色骨材は、色彩の異なる二種以上のものが含まれている。
【００１４】
このような構成によれば、有色骨材の種類ごとの被覆層における分布状態や含有率を種々に変更することにより、多種類の石目調表面を容易に作製することができる。
【００１５】
本発明の好ましい実施の形態においては、上記透明板材は、透明樹脂板である。好ましい実施の形態においてはまた、本発明に係る石目調パネルは、全体として湾曲変形可能である。
【００１６】
このような構成によれば、透明板材の重量を抑制することができ、石目調パネルの軽量化を図るうえで好適である。また、透明樹脂板からなる透明板材では、その厚みを所定以下に小さくすることにより、比較的容易に湾曲変形させることができ、曲面状の表面形態を有する石目調パネルを容易に作製することができる。
【００１７】
本発明の好ましい実施の形態においては、上記透明板材の上記第２面と上記被覆層との間には、所定の平面形態をなす表記層が介在させられている。
【００１８】
このような構成によれば、透明板材と被覆層の間に介在する表記層は、表面側から透明板材を介して観察可能とされており、表示機能としての視認性に優れたものとなる。一方、この表記層は、透明板材によってその表面が覆われた状態となるので、当該表面が露出することはない。したがって、表記層に対して外物が接触することはなく、表記層は耐久性に優れる。
【００１９】
本発明の好ましい実施の形態においては、上記表記層は、上記透明板材の上記第２面に印刷を施すことにより形成されている。
【００２０】
このような構成によれば、表記層の形成は、被覆層の形成前に透明板材の裏面側第２面に対して印刷を施すことにより行うことができる。この構成は、表記層の形成を簡易化するうえで好適である。
【００２１】
本発明のその他の特徴および利点は、添付図面を参照して以下に行う詳細な説明によって、より明らかとなろう。
【発明を実施するための最良の形態】
【００２２】
以下、本発明の好ましい実施の形態について、図面を参照して具体的に説明する。
【００２３】
図１は、本発明に係る石目調パネルの一例を示す平面図である。図２は、本発明に係る石目調パネルの構造を示す模式断面図である。
【００２４】
図１および図２に表れているように、石目調パネルＡは、透明板材１と、被覆層２と、表記層３とを備えて構成されており、全体として平面状を呈している。
【００２５】
透明板材１は、各部の厚みが一定のたとえば透明アクリル樹脂板である。透明板材１の表面１ａおよび裏面１ｂは、平滑な平面状を呈している。
【００２６】
被覆層２は、透明板材１の裏面１ｂを覆うように形成され、無数の有色骨材２１を含むとともにこの有色骨材２１がバインダ２２により分散固定された構成とされている。有色骨材２１は、天然石または人工石を粉砕して得られた粒径約２ｍｍ以下の石粒であり、本実施形態では色彩の異なる三種の有色骨材２１Ａ，２１Ｂ，２１Ｃにより構成されている。有色骨材２１Ａ，２１Ｂ，２１Ｃの原料としては、たとえば天然石である黒御影（黒色）、赤御影（赤色）、北木石（灰色）、錆石（薄茶色）、蛇紋石（緑色）などが用いられる。バインダ２２は、空気中で乾燥硬化する合成樹脂の固化材を主成分として、増粘材や水などが適宜添加されたものである。上記固化材としては、たとえばアクリルエマルジョンが用いられる。
【００２７】
被覆層２の形成は、有色骨材２１とバインダ２２との混合材料を、スプレーガンで透明板材１の裏面１ｂに吹き付け、常温養生または加熱養生によって固化させること（吹き付け塗装）により行うことができる。上記混合材料は、たとえば、重量比率にして有色骨材２１を８０％、固化材を１６％ｗｔ、増粘材を４％ｗｔで混合し、これに適量の水または溶剤を加えたものである。被覆層２の形成は、より詳細には、たとえば３本のスプレーガンを使用し、各スプレーガンから、有色骨材２１Ａ，２１Ｂ，２１Ｃのうちのいずれか一種とバインダ２２との混合材料を吹き付けることにより行われる。すなわち、各スプレーガンからは一種の有色骨材が他種の有色骨材と混ざることなく吹き出される。ここで、透明板材１の裏面１ｂには、有色骨材２１Ａ，２１Ｂ，２１Ｃに対応する混合材料が、それぞれ適当な範囲に纏まって不規則に付着する。
【００２８】
表記層３は、透明板材１と被覆層２との間に形成されており、図１によく表れているように、平面視（透明板材１の表面１ａ側視）において文字や図形などが表された所定の平面形態を有している。表記層３の形成は、被覆層２の形成前に、透明板材１の裏面１ｂ上に印刷を施すことにより行う。より詳細には、表記層３の形成は、たとえば表記層３の原料となる所望の色のインクをスクリーン印刷、オフセット印刷などの印刷手法で所定の平面形態および所定の厚みとなるように転写することにより、行われる。
【００２９】
次に、上記構成の石目調パネルＡの作用について説明する。
【００３０】
本発明に係る石目調パネルＡは、建築物の表面化粧材として使用され、たとえばビルのエントランスホールの壁面や柱に対して透明板材１の表面１ａが露出するように取り付けられる。
【００３１】
表面化粧材として取り付けられた石目調パネルＡにおいては、透明板材１の表面１ａ側から透明板材１を介して被覆層２が観察される。被覆層２には天然石を粉砕して得られた有色骨材２１（２１Ａ，２１Ｂ，２１Ｃ）が含まれているため、被覆層２は、表面に研磨が施された光沢のある天然石が有する深みのある風合いを、より忠実に醸し出すこととなる。
【００３２】
石目調パネルＡにおいては、被覆層２の形成は、吹き付け塗装といった簡易な手段により行うことができる。すなわち、従来技術として上記した塗料による石目調模様の形成では、透明板の裏面に塗装膜、光遮蔽層、および樹脂板を順次重ねる必要があり、その工程が煩雑であった。これに対し、本実施形態における石目調模様の形成は、被覆層２を形成することのみにより達成される。
【００３３】
石目調パネルＡでは、透明板材１が透明樹脂板であるため、たとえばガラス板に比べて比重が小さく、重量を抑制することができる。したがって、このような構成は、石目調パネルＡの軽量化を図るうえで好適である。
【００３４】
また、透明樹脂板からなる透明板材１では、その厚みを所定以下とすることにより、比較的容易に湾曲変形させることができる。これにより、曲面状の表面形態を有する石目調パネルＡを容易に作製することができる。このような構成は、たとえば柱の表面化粧材として石目調パネルＡを使用するうえで好適である。
【００３５】
ところで、たとえばビルのエントランスホールにおいては、案内表示のために文字や図形などの表記が必要となる場合がある。本発明に係る石目調パネルＡにおいては、透明板材１の裏面１ｂと被覆層２との間に表記層３が介在させられている。これにより、表記層３は、透明板材１を介して表面１ａ側から観察されうる状態となるので、表示機能としての視認性に優れたものとなる。一方、表記層３は、透明板材１によってその表面（透明板材１の裏面１ｂとの当接面）が覆われた状態となるので、当該表面が露出することはない。したがって、表記層３に対して外物が接触することはなく、表記層３は耐久性に優れたものとなる。また、石目調パネルＡにおいては、表記層３の形成は、被覆層２の形成前に透明板材１の裏面１ｂに対して印刷を施すことにより行われる。このような構成によれば、表記層３の形成が簡易となる。
【００３６】
以上、本発明の具体的な実施形態を説明したが、本発明はこれに限定されるものではなく、発明の思想から逸脱しない範囲内で種々な変更が可能である。
【００３７】
本発明における透明板材としては、透明アクリル樹脂板に限定されず、可視光を透過させることができるいわゆる透明な材料で構成されていればよい。たとえば、エポキシ樹脂など他の樹脂や硬質ガラスなどにより構成することもできる。
【００３８】
上記実施形態における石目調パネルＡは表記層３を備えるが、表記層は必ずしも必要ではない。本発明に係る石目調パネルは、表記層を具備しない構成であってもよい。
【００３９】
また、上記実施形態では、表記層３は印刷により形成されているが、本発明における表記層は、透明板材の裏面と被覆層との間に介在されていればよく、上記実施形態とは異なる手法によって形成されていてもよい。たとえば、表記層は、粘着剤層を有する透明シート上に印刷を施したもの、或いは文字や図形の形状に切り抜かれた粘着剤層を有するカッティングシートなどを透明板材の裏面に貼付することにより形成されたものでもよい。
【図面の簡単な説明】
【００４０】
【図１】本発明に係る石目調パネルの一例を示す平面図である。
【図２】本発明に係る石目調パネルの構造を示す模式断面図である。
【符号の説明】
【００４１】
Ａ      石目調パネル
１      透明板材
１ａ    表面（表面側第１面）
１ｂ    裏面（裏面側第２面）
２      被覆層
３      表記層
２１，２１Ａ，２１Ｂ，２１Ｃ    有色骨材
２２    バインダ
【図１】
2007077759.tif 000003
【図２】
2007077759.tif 000004